(57)【要約】【課題】発色の有無によってメダル等の遊技媒体の出所等履歴を知ることができるようにし、貸出機等から不正に取得した遊技媒体など不審な遊技媒体が安易に景品に交換されるようなことのないようにする。【解決手段】紫外光、可視光等の光を照射することにより可逆的に発消色するフォトクロミック化合物２をメダル等の遊技媒体１に塗着する。遊技媒体を貸し出す貸出機５ａ〜５ｃまたは遊技媒体を払い出す遊技機３ａ〜３ｃに該遊技媒体に対し紫外光、可視光等の光を照射する光照射装置１６を設ける。景品交換用計数器９にフォトクロミック化合物の発消色状態を検出するセンサ２３を設ける。【選択図】図２
2007061356.tif 000002
【特許請求の範囲】
【請求項１】
紫外光、可視光等の光を照射することにより可逆的に発消色するフォトクロミック化合物をメダル等の遊技媒体に塗着してなることを特徴とする遊技媒体。
【請求項２】
紫外光、可視光等の光を照射することにより肉眼で識別可能なまでに可逆的に発消色するフォトクロミック化合物をメダル等の遊技媒体に塗着してなることを特徴とする遊技媒体。
【請求項３】
請求項１または２に記載した遊技媒体を貸し出す貸出機に該遊技媒体に対し紫外光、可視光等の光を照射する光照射装置を設けてなることを特徴とした遊技媒体の識別システム。
【請求項４】
請求項１または２に記載した遊技媒体を払い出す遊技機に該遊技媒体に対し紫外光、可視光等の光を照射する光照射装置を設けてなることを特徴とした遊技媒体の識別システム。
【請求項５】
請求項１または２に記載した遊技媒体を貸し出す貸出機に該遊技媒体に対し紫外光、可視光等の光を照射する光照射装置を設け、該遊技媒体の景品交換用計数器に該遊技媒体に塗着されたフォトクロミック化合物の発消色状態を検出するセンサを設けてなることを特徴とする遊技媒体の識別システム。
【請求項６】
請求項１または２に記載した遊技媒体を払い出す遊技機に該遊技媒体に対し紫外光、可視光等の光を照射する光照射装置を設け、該遊技媒体の景品交換用計数器に該遊技媒体に塗着されたフォトクロミック化合物の発消色状態を検出するセンサを設けてなることを特徴とする遊技媒体の識別システム。
【請求項７】
景品交換用計数器に設けられたセンサの検出信号を記憶する識別情報管理装置を具備したことを特徴とする請求項５または６に記載の遊技媒体の識別システム。
【請求項８】
景品交換用計数器に設けられたセンサが異常な検出信号を出力するのに呼応して景品交換を拒絶する手段を設けたことを特徴とする請求項５〜７のいずれかに記載した遊技媒体の識別システム。
【請求項９】
景品交換用計数器に設けられたセンサの検出信号を遊技場の情報管理コンピュータに送信するようにしたことを特徴とする請求項５〜８のいずれかに記載した遊技媒体の識別システム。
【請求項１０】
遊技場の情報管理コンピュータが異常を検出したときその信号がネットワーク通信手段を介して特定の通信先に送信されるようにしたことを特徴とする請求項９に記載した遊技媒体の識別システム。
【請求項１１】
請求項１または２に記載した遊技媒体を受け入れる遊技機のメダル投入経路に該遊技媒体の発消色状態を識別できるセンサを設けたことを特徴とする遊技媒体の識別システム。
【発明の詳細な説明】
【技術分野】
【０００１】
本発明は、遊技場で使用されるメダル等の遊技媒体が不正に取得され景品に交換されるのを防止するための遊技媒体およびその識別システムに関するものである。
【背景技術】
【０００２】
多くのスロットマシンやパチスロが設置された遊技場においては、周知のように、紙幣やカードを入れることによりメダル等の遊技媒体を遊技者に貸し出す貸出機がこれらの遊技機と同様に多数設置され、特に台間貸出機と称されるものは各遊技機に隣接するように１台ずつ設置されている。
【０００３】
一方、下記特許文献１は、遊技用メダル（コイン）に識別信号を発信するデバイスを設け、その識別信号により他店の遊技用メダル等が不正使用されていないかどうかを容易に検知できるようにするものである。
また、下記特許文献２，３に開示された識別情報付きコインは、レーザー光等の識別情報読取用光を照射しその反射光を読み取ることにより、真正物と贋物とを容易に識別できるようにするものであった。
【特許文献１】特開平８−１９４０９号公報
【特許文献２】特開２００４−２８０７５０号公報
【特許文献３】特開２００４−２８８１１６号公報
【発明の開示】
【発明が解決しようとする課題】
【０００４】
一方、昨今の遊技場においては、数人の犯行グループによってメダル等の遊技媒体が不正に取得され景品に交換されるという被害が続出しているが、その犯行の手口は、営業時間中に一般の遊技客にまぎれて犯行グループの一人が貸出機の隙間或いはドリルを使って開けた小孔から薄板或いはワイヤのようなものを差し込んで貸出機の内部のメダル払出機構を不正に操作することにより貸出機から遊技媒体を多量に排出させ、その遊技媒体を犯行グループの他の一人が景品交換所に持って行き、店員は不正に取得した遊技媒体と知らずにその遊技媒体を景品に交換してしまい多大な被害を蒙ると云うものである。
【０００５】
ところでこのような犯行に対し、上記特許文献に記載されたような従来の識別情報付き遊技媒体では対処できない状況であった。即ち、上記特許文献に記載された防犯技術では遊技場にて使用される遊技媒体が真正の物か贋物であるかを識別することはできても、遊技場内で不正に取得された物であるかどうかの識別はできないものであった。このため貸出機から不正に取得された遊技媒体でも安易に景品に交換されてしまうおそれがあった。また、遊技機から不正に取得された遊技媒体についても同様であった。
そこで本発明はこのような不正行為をも防止または有効に抑制することのできる遊技媒体およびその識別システムを提供しようとするものである。
【課題を解決するための手段】
【０００６】
そのために請求項１に記載した遊技媒体の発明は、紫外光、可視光等の光を照射することにより可逆的に発消色するフォトクロミック化合物をメダル等の遊技媒体に塗着してなることを特徴とする。
また請求項２に記載した遊技媒体の発明は、紫外光、可視光等の光を照射することにより肉眼で識別可能なまでに可逆的に発消色するフォトクロミック化合物をメダル等の遊技媒体に塗着してなることを特徴とする。
また請求項３に記載した遊技媒体の識別システムの発明は、請求項１または２に記載した遊技媒体を貸し出す貸出機に該遊技媒体に対し紫外光、可視光等の光を照射する光照射装置を設けてなることを特徴とする。
また請求項４に記載した遊技媒体の識別システムの発明は、請求項１または２に記載した遊技媒体を払い出す遊技機に該遊技媒体に対し紫外光、可視光等の光を照射する光照射装置を設けてなることを特徴とする。
また請求項５に記載した遊技媒体の識別システムの発明は、請求項１または２に記載した遊技媒体を貸し出す貸出機に該遊技媒体に対し紫外光、可視光等の光を照射する光照射装置を設け、該遊技媒体の景品交換用計数器に該遊技媒体に塗着されたフォトクロミック化合物の発消色状態を検出するセンサを設けてなることを特徴とする。
また請求項６に記載した遊技媒体の識別システムの発明は、請求項１または２に記載した遊技媒体を払い出す遊技機に該遊技媒体に対し紫外光、可視光等の光を照射する光照射装置を設け、該遊技媒体の景品交換用計数器に該遊技媒体に塗着されたフォトクロミック化合物の発消色状態を検出するセンサを設けてなることを特徴とする。
また請求項７に記載した発明は、上記遊技媒体の識別システムにおいて、景品交換用計数器に設けられたセンサの検出信号を記憶する識別情報管理装置を具備したことを特徴とする。
また請求項８に記載した発明は、上記遊技媒体の識別システムにおいて、景品交換用計数器に設けられたセンサが異常な検出信号を出力するのに呼応して景品交換を拒絶する手段を設けたことを特徴とする。
また請求項９に記載した発明は、上記遊技媒体の識別システムにおいて、景品交換用計数器に設けられたセンサの検出信号を遊技場の情報管理コンピュータに送信するようにしたことを特徴とする。
また請求項１０に記載した発明は、上記遊技媒体の識別システムにおいて、遊技場の情報管理コンピュータが異常を検出したときその信号がネットワーク通信手段を介して特定の通信先に送信されるようにしたことを特徴とする。
また請求項１１に記載した遊技媒体およびその識別システムの発明は、請求項１または２に記載した遊技媒体を受け入れる遊技機のメダル投入経路に該遊技媒体の発消色状態を識別できるセンサを設けたことを特徴とする。
【発明の効果】
【０００７】
請求項１または２に記載の発明では、発色の有無によって該遊技媒体の履歴を知ることができ、不審な遊技媒体が景品に交換されるのを未然に防ぐことができる。
請求項３に記載の発明では、遊技場内の貸出機から排出された遊技媒体をその他の遊技媒体と識別することができる。
請求項４に記載の発明では、遊技場内の遊技機から排出された遊技媒体をその他の遊技媒体と識別することができる。
請求項５または６に記載の発明では、景品交換用計数器によって自動的に不審な遊技媒体を識別することができ、不審な遊技媒体が景品に交換されるのを未然に防ぐことができる。
請求項７に記載の発明では、識別情報管理装置が不審な遊技媒体を記憶することで、不正行為をより的確に防止できる。
請求項８に記載の発明では、景品交換用計数器が不審な遊技媒体を検出したときに自動的にその景品交換を拒絶することから不正な景品交換を的確に防止できる。
請求項９に記載の発明では、遊技場内の不正行為に対する情報が集中管理され、迅速な対処が可能になる。
請求項１０に記載の発明では、遠隔地の遊技場の管理、或いは複数の遊技場の管理を一括することができる。
請求項１１に記載の発明では、不正な遊技媒体が遊技に使用されることが防止される。
【発明を実施するための最良の形態】
【０００８】
フォトクロミック化合物は、周知のように、紫外光、可視光等の光を吸収すると分子内で可逆的な異性化反応が起こり、その構造変化に伴い光吸収帯が変化する性質を持つ化合物であり、例えば無色透明な状態のフォトクロミック化合物に紫外光を照射すると発色し、発色したフォトクロミック化合物にその発色状態での光吸収帯に対応する可視光を照射すると再び無色透明になる。従って、フォトクロミック化合物に紫外光と可視光を交互に照射することにより可逆的な発消色ができるものである。なお、フォトクロミック化合物は、２０世紀初頭から研究されており、アゾベンゼン、スピロベンゾピラン、フリルフルギド、ジアリールエテン、フルギド化合物といった物質が発見、或いは合成されている。例えば上記アゾベンゼンは、ある波長の光を照射することにより分子が「トランス」−「シス」の構造変化を可逆的にするもので、無色であるトランス体に例えば紫外光を照射するとシス体に構造変化して橙色に発色し、橙色に発色したアゾベンゼンを一定時間可視光に曝すとトランス体となり無色に戻る。また、ジアリールエテンは、紫外光を照射すると赤色になり、可視光を照射することにより無色になる。また、加熱することにより元の状態に戻るフォトクロミック化合物も知られている。また、上記フルギド化合物は、紫外光を照射することによりイエロー、マゼンダ、シアンの三原色にそれぞれ発色する化合物が合成されることから、フルカラーリライタブル表示が可能になるものとして研究が進められている。
【０００９】
本発明ではこのような特異な性質を持つフォトクロミック化合物をスロットマシンやパチスロ等の遊技機に遊技媒体として広く使用されているメダルの表面に塗着する。塗着するに当たってはフォトクロミック化合物に適当な塗着剤を混ぜ、メダルの表面に形成された凹面部に塗り込むこともできる。図１は表面に凹凸模様が形成されたメダル１の一例を示す縦断面図で、その凹面部にフォトクロミック化合物２が塗着される。また、塗着したフォトクロミック化合物の表面に保護膜層を形成することにより、摩擦等の外力に対しフォトクロミック化合物が剥がれるのが防止され、遊技媒体としての過酷な使用条件の下で長期間に亘って使用に支障がないものとなる。
【００１０】
一般に遊技場は、図２に平面配置図を示したように、多数の遊技機３ａ〜３ｃが島台と称される複数の列４ａ〜４ｃに配置され該各遊技機間にメダル貸出機５ａ〜５ｃが配置されている。該各島台にはメダル供給装置６ａ〜６ｃが設けられ、該メダル供給装置から各遊技機３ａ〜３ｃおよび貸出機５ａ〜５ｃにコンベヤ７ａ〜７ｃを介してメダルが配給される。８はこの遊技場の一画に設けられた景品交換所で、ここに景品交換用計数器（ジェットカウンター）９が設けられている。
【００１１】
図３は貸出機５ａ〜５ｃの概略を示し、１０は挿入口１１より挿入された紙幣を識別し収拾する紙幣収納部、１２は前記コンベヤ７ａ〜７ｃにより搬送されたメダル１を一時貯留するメダル受入用ホッパー、１３は該ホッパー内のメダルを収拾金額に従いメダルトレイ１４に払い出すメダル排出部である。該メダル排出部１３とメダルトレイ１４とを結ぶ通路１５に紫外光、可視光等の光を照射する光照射装置１６が設けられ、通路１５を通過して払い出されるメダル１のフォトクロミック化合物２にこの光が照射されることにより該フォトクロミック化合物２が所定の色に発色する。
【００１２】
このため貸出機５ａ〜５ｃから排出されたメダル１が遊技に使用されることなくそのまま景品交換所８に持ち込まれると、該メダル１はフォトクロミック化合物２が例えば橙色に発色していることから、店員がメダルを見るだけでそのことにすぐに気付き得る。即ち、貸出機５ａ〜５ｃから排出されたメダル１が遊技に使用されることなくそのまま景品交換所８に持ち込まれることは通常はあり得ないことであるので、発色しているメダルについては貸出機５ａ〜５ｃから不正に取得されたメダルのおそれがあると判断でき、これによって不正に取得されたメダルが安易に景品に交換されるような被害をなくすことができる。
【００１３】
なお、遊技客が貸出機５ａ〜５ｃから貸し出された発色状態のメダル１を遊技機３ａ〜３ｃに投入することによっては、該メダル１は遊技に支障無く使用され、遊技機の裏側に設けられた回収コンベヤ（図示せず）により回収される。フォトクロミック化合物２が発色している時間は、紫外光等の光が照射されてから数十分間乃至数十時間に適宜設定することができる。また、可視光を照射することによって強制的に消色状態に戻すこともできるので、メダル１が遊技機３ａ〜３ｃに投入されることによって回収され、そのメダル１が前記コンベヤ７ａ〜７ｃを通って再び遊技機３ａ〜３ｃに配給され、該遊技機から景品用として払い出されるような時期には確実に消色状態となるように設定することができる。また、必要に応じ遊技機３ａ〜３ｃにメダル１を消色状態にするために必要な波長の光を照射する光照射装置を設けてもよい。こうすることで遊技機３ａ〜３ｃより景品として払い出されたメダルが発色状態にあるようなことなく、貸出機５ａ〜５ｃから払い出されたままのメダルとを明確に識別することが可能となる。
【００１４】
また、メダルの発消色状態は上記のように肉眼によって識別できることが好ましいが、景品交換用計数器９にフォトクロミック化合物２の発消色状態を検出するセンサを設けることで、機械的に識別されるようにしてもよい。図４は景品交換用計数器９を示し、そのメダルホッパー２０と計数部２１とを結ぶ通路２２に発消色状態を検出するセンサ２３を設け、該センサの検出信号が識別情報管理装置２４に記憶されるようにしたものである。なお、２５はレシート発行装置、２６は警報装置である。この景品交換用計数器９ではセンサ２３が異常な検出信号を出力するのに呼応して景品交換を拒絶する手段、例えばレシート発行装置２５が作動しないようにしたり、警報装置２６を作動させることにより、不正なメダルが景品に交換されるのを防止できるようにしている。また、センサ２３が検出した異常な検出信号は識別情報管理装置２４に記憶されると同時に遊技場の情報管理コンピュータ２７に送信され、管理室にてその情報が把握できるようにしている。従ってこの異常信号が受信されると管理コンピュータ２７が遊技場内の係員にポータブル通信機等を介して通報し、即座に対処できるようにしている。また、その異常検出信号はネットワーク通信手段２８を介して携帯電話２９等に送信されるようにしたりチェーン店の統括本部事務所に設置されている統括情報管理コンピュータなどに情報データを送信することで、遠隔地の遊技場の管理、或いは複数の遊技場の管理を一括することも可能となる。
【００１５】
なおこの実施形態では貸出機５ａ〜５ｃに発色のための光照射装置１６を設けたが、遊技機３ａ〜３ｃに発色のための光照射装置１６を設け、遊技機３ａ〜３ｃから景品として払い出されたメダル１を発色させることで、他のメダルと識別できるようにしてもよい。図５は遊技機３ａ〜３ｃのメダル排出部１３とメダルトレイ１４とを結ぶ通路１５に紫外光、可視光等の光を照射する光照射装置１６を設け、該遊技機３ａ〜３ｃから払い出されたメダル１にこの光が照射されることにより発色するようにしたものである。この場合は、景品交換所に発色してないメダルが持ち込まれるとそのメダルが不審なメダルであると判断できる。このように貸出機から払い出されたメダルを発色状態とするか、遊技機から払い出されたメダルを発色状態とするかは自由に設定することができる。
【００１６】
また、例えば上記フルギド化合物のようなフルカラー表示が可能なフォトクロミック化合物をメダルに塗着するとともに、貸出機や遊技機にこのフォトクロミック化合物をそれぞれ異なった色に発色させる波長、或いは照射レベルの異なる光を照射する光照射装置を設けることにより、メダルの発色状態を見ればそのメダルがどの遊技機或いは貸出機から排出されたものであるのかを識別することも可能になる。或いは、メダル供給装置６ａ〜６ｃに光照射装置を設け、その波長や照射レベルを島台列毎に異ならしめることにより、島台列毎にメダルを違う色に発色させるようなこともできる。
【００１７】
また、貸出機や遊技機に異物が挿入されたり異常な振動があった場合、或いはメダルが異常に多数払い出されている場合、或いは払出指令がないにも拘わらずメダルが払い出されていること等の異常信号が発信された場合に、その払出メダルを発消色、或いは変色させるように光照射装置を作動させることもできる。
それらの処置をすることで、メダルの出所、履歴を識別することが可能になり、不正行為を一層効果的に防止することができるようになる。
【００１８】
また、遊技機のメダル投入経路にメダルの発消色状態を識別できるセンサを設け、不正なメダルが検出されたときはそのメダルを返却口に強制的に排出させることでメダルの不正使用を防止することも可能となる。このようなシステムによれば、他店から持ち込まれた不正使用メダル、或いは贋物のメダルを発色状態の有無、或いはその色調により識別することもできるので、これらの不正なメダルが使用されることによる損失を未然に防止することができる。
【００１９】
図６に示したメダル１は、透明な樹脂中に粉粒状のフォトクロミック化合物２を分散させてなる透明樹脂部１ａを該メダル１の中央貫通孔に設けてなるもので、本発明の遊技媒体はこのようにフォトクロミック化合物をメダルに設けることも可能である。
【産業上の利用可能性】
【００２０】
上記実施形態は遊技媒体としてメダルを示したが、本発明に係る遊技媒体およびその識別システムは、パチンコ球を遊技媒体とする遊技場の不正行為を防止するうえでも利用可能性がある。
【図面の簡単な説明】
【００２１】
【図１】本発明の実施形態を示す遊技媒体の縦断面図。
【図２】本発明の実施形態を示す遊技場の平面配置図。
【図３】本発明の実施形態を示す貸出機の部分断面側面図。
【図４】本発明の実施形態を示す景品交換用計数器の部分断面側面図。
【図５】本発明の実施形態を示す遊技機の部分断面側面図。
【図６】本発明の実施形態を示す遊技媒体の縦断面図。
【符号の説明】
【００２２】
１            メダル（遊技媒体）
２            フォトクロミック化合物
３ａ〜３ｃ    遊技機
４ａ〜４ｃ    島台列
５ａ〜５ｃ    貸出機
６ａ〜６ｃ    メダル供給装置
７ａ〜７ｃ    コンベヤ
８            景品交換所
９            景品交換用計数器
１６          光照射装置
２３          センサ
２４          識別情報管理装置
２５          レシート発行装置
２６          警報装置
２７          情報管理コンピュータ
２８          ネットワーク通信手段
２９          携帯電話
【図１】
2007061356.tif 000003
【図２】
2007061356.tif 000004
【図３】
2007061356.tif 000005
【図４】
2007061356.tif 000006
【図５】
2007061356.tif 000007
【図６】
2007061356.tif 000008